(57)【要約】【課題】装置構成を簡易化することを可能とし、画像表示装置の表示画像を取得することができる画像表示システム、画像供給装置および画像表示装置を提供することを目的とする。【解決手段】画像供給装置１００は、画像データとしての第１の画像データを画像表示装置２００に送信する第１データ送信部（ＵＳＢディスプレイホスト１２）と、画像表示装置２００から送信された第２の画像データを受信する第２データ受信部（ＵＳＢカメラホスト１３）と、を備えており、画像表示装置２００は、画像供給装置１００から送信された第１の画像データを受信する第１データ受信部（ＵＳＢディスプレイデバイス２０）と、第１の画像データを表示する表示部２３と、第１の画像データをキャプチャし、第２の画像データとする画像データキャプチャ部２４と、第２の画像データを画像供給装置１００に送信する第２データ送信部（ＵＳＢカメラデバイス２５）と、を備える。【選択図】図２
2008009253.tif 000002
【特許請求の範囲】
【請求項１】
画像データを供給する画像供給装置と、該画像供給装置と接続手段を介して接続され、前記画像供給装置から供給された前記画像データに基づいた表示を行う画像表示装置とを備える画像表示システムであって、
前記画像供給装置は、
前記画像データとしての第１の画像データを前記画像表示装置に送信する第１データ送信部と、
前記画像表示装置から送信された第２の画像データを受信する第２データ受信部と、
を備えており、
前記画像表示装置は、
前記画像供給装置から送信された前記第１の画像データを受信する第１データ受信部と、
前記第１の画像データを表示する表示部と、
前記第１の画像データをキャプチャし、前記第２の画像データとする画像データキャプチャ部と、
前記画像データキャプチャ部にてキャプチャした前記第２の画像データを前記画像供給装置に送信する第２データ送信部と、
を備えた画像表示システム。
【請求項２】
請求項１に記載の画像表示システムであって、
前記画像表示装置は、
一つまたは複数の外部入力の画像データを受信する外部入力部と、
前記第１の画像データおよび前記外部入力の画像データのうちから少なくとも１つの画像データを選択し、切り替えを行う画像データ入力切替部とを備え、
前記表示部は、前記画像データ入力切替部によって選択された画像データを表示することを特徴とする画像表示システム。
【請求項３】
請求項２に記載の画像表示システムであって、
前記画像データキャプチャ部は、前記画像データ入力切替部によって選択された画像データをキャプチャし、前記第２の画像データとすることを特徴とする画像表示システム。
【請求項４】
請求項１乃至３のいずれか一項に記載の画像表示システムであって、
前記接続手段は、ＵＳＢ規格に準拠した通信を用いることを特徴とする画像表示システム。
【請求項５】
請求項１乃至３のいずれか一項に記載の画像表示システムであって、
前記接続手段は、ＩＰネットワーク通信を用いることを特徴とする画像表示システム。
【請求項６】
請求項１乃至５のいずれか一項に記載の画像表示システムであって、
前記画像供給装置は、前記画像表示装置との前記接続手段以外に用いる情報通信のためのＩＰネットワーク通信を可能とするネットワーク接続手段を備えたことを特徴とする画像表示システム。
【請求項７】
請求項６に記載の画像表示システムであって、
前記画像供給装置は、前記ネットワーク接続手段を介して前記情報通信としての音声データと映像データの双方向同時通信を行うためのソフトウェアプログラム部を備えたことを特徴とする画像表示システム。
【請求項８】
請求項１乃至３のいずれか一項に記載の画像表示システムにおける画像供給装置であって、
前記第１データ送信部と、前記第２データ受信部とを備えたことを特徴とする画像供給装置。
【請求項９】
請求項４に記載の画像表示システムにおける画像供給装置であって、
前記画像供給装置は、前記画像表示装置と前記ＵＳＢ規格に準拠した通信を用いた接続手段で接続されることを特徴とする画像供給装置。
【請求項１０】
請求項５に記載の画像表示システムにおける画像供給装置であって、
前記画像供給装置は、前記画像表示装置と前記ＩＰネットワーク通信を用いた接続手段で接続されることを特徴とする画像供給装置。
【請求項１１】
請求項６に記載の画像表示システムにおける画像供給装置であって、
前記画像供給装置は、前記画像表示装置との前記接続手段以外に用いる前記情報通信のためのＩＰネットワーク通信を可能とする前記ネットワーク接続手段を備えたことを特徴とする画像供給装置。
【請求項１２】
請求項７に記載の画像表示システムにおける画像供給装置であって、
前記画像供給装置は、前記ネットワーク接続手段を介して前記情報通信としての音声データと映像データの双方向同時通信を行うための前記ソフトウェアプログラム部を備えたことを特徴とする画像供給装置。
【請求項１３】
請求項１に記載の画像表示システムにおける画像表示装置であって、
前記第１データ受信部、前記表示部、前記画像データキャプチャ部および前記第２データ送信部とを備えたことを特徴とする画像表示装置。
【請求項１４】
請求項２に記載の画像表示システムにおける画像表示装置であって、
前記外部入力部と、前記画像データ入力切替部とを備え、
前記表示部は、前記画像データ入力切替部によって選択された画像データを表示することを特徴とする画像表示装置。
【請求項１５】
請求項３に記載の画像表示システムにおける画像表示装置であって、
前記画像データキャプチャ部は、前記画像データ入力切替部によって選択された画像データをキャプチャし、前記第２の画像データとすることを特徴とする画像表示装置。
【請求項１６】
請求項４に記載の画像表示システムにおける画像表示装置であって、
前記画像表示装置は、前記画像供給装置と前記ＵＳＢ規格に準拠した通信を用いた接続手段で接続されることを特徴とする画像表示装置。
【請求項１７】
請求項５に記載の画像表示システムにおける画像表示装置であって、
前記画像表示装置は、前記画像供給装置と前記ＩＰネットワーク通信を用いた接続手段で接続されることを特徴とする画像表示装置。
【発明の詳細な説明】
【技術分野】
【０００１】
本発明は、画像データを供給する画像供給装置と、前記画像供給装置から供給された前記画像データに基づいた画像を表示する画像表示装置とを備える画像表示システム、画像供給装置および画像表示装置に関するものである。
【背景技術】
【０００２】
従来、プレゼンテーション等の会議録としてプロジェクタ等で投影した映像を取得し、記録することが行われていた。例えば、プレゼンテーションを行うプレゼンターを、デジタルビデオカメラ等を用いて撮影した映像情報、および、パーソナルコンピュータ等といったプレゼンテーション実施端末からのプレゼンテーションの資料情報等を入力し、プレゼンテーションの記録として再構成してマルチメディアファイルを生成し、前記資料情報等の情報を例えばプロジェクタ等の映像出力装置に出力させるマルチメディアコンテンツ生成装置が開示されている（特許文献１）。
【０００３】
【特許文献１】特開２００５−２５２５７４号公報
【発明の開示】
【発明が解決しようとする課題】
【０００４】
しかし、特許文献１においては、プロジェクタ等で投写した映像を取得し、記録するためには、パーソナルコンピュータ等の画像供給装置やプロジェクタ等の画像表示装置の他に、デジタルビデオカメラや映像を記録する装置（マルチメディアコンテンツ生成装置）を用意しなければならず、多くの装置が必要な上、その設置や配線が煩雑であり、装置構成を簡易化することにおいて課題があった。
【０００５】
本発明は、このような課題を解決するためになされたもので、装置構成を簡易化することを可能とし、画像表示装置の表示画像を取得することができる画像表示システム、画像供給装置および画像表示装置を提供することを目的とする。
【課題を解決するための手段】
【０００６】
上記目的を達成するために、本発明の画像表示システムは、画像データを供給する画像供給装置と、画像供給装置と接続手段を介して接続され、画像供給装置から供給された画像データに基づいた表示を行う画像表示装置とを備える画像表示システムであって、画像供給装置は、画像データとしての第１の画像データを画像表示装置に送信する第１データ送信部と、画像表示装置から送信された第２の画像データを受信する第２データ受信部と、を備えており、画像表示装置は、画像供給装置から送信された第１の画像データを受信する第１データ受信部と、第１の画像データを表示する表示部と、第１の画像データをキャプチャし、第２の画像データとする画像データキャプチャ部と、画像データキャプチャ部にてキャプチャした第２の画像データを画像供給装置に送信する第２データ送信部と、を備えたことを要旨とする。
【０００７】
かかる画像表示システムによれば、画像供給装置内の第１データ送信部は第１の画像データを接続手段を介して画像表示装置へ送信する。画像表示装置内の第１データ受信部は第１の画像データを受信し、表示部は第１の画像データを表示する。画像データキャプチャ部は第１の画像データをキャプチャし、第２の画像データとする。第２データ送信部は第２の画像データを接続手段を介して画像供給装置へ送信する。画像供給装置内の第２データ受信部は第２の画像データを受信する。よって、従来のように、多くの装置を使用することなく、画像供給装置と画像表示装置という簡易な装置構成のシステムによって、画像表示装置の表示画像を取得することができる。
【０００８】
また、上記画像表示システムにおいて、画像表示装置は、一つまたは複数の外部入力の画像データを受信する外部入力部と、第１の画像データおよび外部入力の画像データのうちから少なくとも１つの画像データを選択し、切り替えを行う画像データ入力切替部とを備え、表示部は、画像データ入力切替部によって選択された画像データを表示することが好ましい。
【０００９】
このような画像表示システムによれば、画像表示装置内の外部入力部は外部入力の画像データを受信し、画像データ入力切替部は第１の画像データおよび外部入力の画像データのうちから画像データを選択し、切り替えを行う。表示部は選択された画像データを表示する。よって、画像表示装置は、画像供給装置から送信された第１の画像データのみならず、外部入力の画像データのうちからも画像データを選択して表示することができる。
【００１０】
また、上記画像表示システムにおいて、画像データキャプチャ部は、画像データ入力切替部によって選択された画像データをキャプチャし、第２の画像データとすることが好ましい。
【００１１】
このような画像表示システムによれば、画像表示装置内の画像データキャプチャ部は画像データ入力切替部によって選択された画像データをキャプチャして第２の画像データとし、第２データ送信部は接続手段を介して画像供給装置に第２の画像データを送信する。画像供給装置内の第２データ受信部は第２の画像データを受信する。よって、画像供給装置は、送信した第１の画像データのみならず、外部入力の画像データについても受信し、取得することができる。このとき、画像供給装置が受信する第２の画像データは、画像表示装置が表示している画像をキャプチャしたものであるため、画像表示装置の表示画像と画像供給装置が取得した画像は同様となる。
【００１２】
また、上記画像表示システムにおいて、接続手段は、ＵＳＢ規格に準拠した通信を用いることが好ましい。
【００１３】
このような画像表示システムによれば、画像供給装置と画像表示装置とは、ＵＳＢ（Ｕｎｉｖｅｒｓａｌ  Ｓｅｒｉａｌ  Ｂｕｓ）規格に準拠した通信によって接続する。例えば、ＵＳＢケーブルを用いて画像供給装置と画像表示装置を接続した場合、１本のケーブルで送信および受信を同時に行うことが可能となり、複数の配線が不要となる。よって、画像供給装置と画像表示装置の接続を簡易な構成とすることができる。
【００１４】
また、上記画像表示システムにおいて、接続手段は、ＩＰネットワーク通信を用いることが好ましい。
【００１５】
このような画像表示システムによれば、画像供給装置と画像表示装置とは、ＩＰネットワーク通信を用いた通信によって接続する。例えば、ネットワークケーブルを用いたＩＰネットワーク通信によって画像供給装置と画像表示装置とを接続した場合、該ネットワークケーブルの接続のみで、送信および受信を同時に行うことが可能となり、各装置に対して複数の配線が不要となる。よって、画像供給装置と画像表示装置との接続を簡易な構成とすることができる。
【００１６】
また、上記画像表示システムにおいて、画像供給装置は、画像表示装置との接続手段以外に用いる情報通信のためのＩＰネットワーク通信を可能とするネットワーク接続手段を備えることが好ましい。
【００１７】
このような画像表示システムによれば、画像供給装置内の第２データ受信部は画像表示装置から第２の画像データを受信し、ネットワーク接続手段は第２の画像データを情報通信のためのＩＰネットワーク通信を用いてネットワークに送信する。よって、例えば、画像供給装置は、現在、画像表示装置が表示している画像データをほぼリアルタイムでネットワークに送信することができる。
【００１８】
また、上記画像表示システムにおいて、画像供給装置は、ネットワーク接続手段を介して情報通信としての音声データと映像データの双方向同時通信を行うためのソフトウェアプログラム部を備えることが好ましい。
【００１９】
このような画像表示システムによれば、画像供給装置内の第２データ受信部は画像表示装置から第２の画像データを受信し、ソフトウェアプログラム部はネットワーク接続手段を用いて情報通信としての音声データと映像データの双方向同時通信を行う。例えば、画像供給装置は、既存のテレビ会議ソフトウェアプログラムを備えるものとし、該テレビ会議ソフトウェアプログラムを使用して、現在、画像表示装置が表示している画像データをほぼリアルタイムで第三者に配信しながらテレビ会議を行うことができる。
【００２０】
上記目的を達成するために、本発明の画像供給装置は、第１データ送信部および第２データ受信部とを備えたことを要旨とする。
【００２１】
このような画像供給装置によれば、画像供給装置の第１データ送信部は、第１の画像データを画像表示装置に送信し、画像表示装置は、受信した第１の画像データの表示をし、第２の画像データとして画像供給装置に送信する。また、画像表示装置は、外部入力の画像データについても受信を行い、受信した外部入力の画像データを表示し、第２の画像データとして画像供給装置に送信する。画像供給装置の第２データ受信部は画像表示装置から第２の画像データを受信する。よって、画像供給装置は、第１の画像データまたは、外部入力の画像データを第２の画像データとして取得することができる。
【００２２】
また、上記画像供給装置において、画像供給装置は、画像表示装置とＵＳＢ規格に準拠した通信を用いた接続手段で接続されることが好ましい。
【００２３】
このような画像供給装置によれば、画像供給装置は、画像表示装置とＵＳＢ規格に準拠した通信によって接続する。例えば、ＵＳＢケーブルを用いて画像表示装置と接続した場合、１本のケーブルで送信および受信を同時に行うことが可能となり、複数の配線が不要となる。よって、画像表示装置との接続を簡易な構成とすることができる。
【００２４】
また、上記画像供給装置において、画像供給装置は、画像表示装置とＩＰネットワーク通信を用いた接続手段で接続されることが好ましい。
【００２５】
このような画像供給装置によれば、画像供給装置は、画像表示装置とＩＰネットワーク通信を用いた通信によって接続する。例えば、ネットワークケーブルを用いたＩＰネットワーク通信によって画像表示装置と接続した場合、１本のネットワークケーブルの接続のみで、送信および受信を同時に行うことが可能となり、複数の配線が不要となる。よって、画像表示装置との接続を簡易な構成とすることができる。
【００２６】
また、上記画像供給装置において、画像供給装置は、画像表示装置との接続手段以外に用いる情報通信のためのＩＰネットワーク通信を可能とするネットワーク接続手段を備えることが好ましい。
【００２７】
このような画像供給装置によれば、画像供給装置内の第２データ受信部は画像表示装置から第２の画像データを受信し、ネットワーク接続手段は第２の画像データを情報通信のためのＩＰネットワーク通信を用いてネットワークに送信する。よって、画像供給装置は、取得した第２の画像データをほぼリアルタイムでネットワークに送信することができる。
【００２８】
また、上記画像供給装置において、画像供給装置は、ネットワーク接続手段を介して情報通信としての音声データと映像データの双方向同時通信を行うためのソフトウェアプログラム部を備えることが好ましい。
【００２９】
このような画像供給装置によれば、画像供給装置内の第２データ受信部は画像表示装置から第２の画像データを受信し、ソフトウェアプログラム部はネットワーク接続手段を用いて情報通信としての音声データと映像データの双方向同時通信を行う。例えば、画像供給装置は、既存のテレビ会議ソフトウェアプログラムを備えるものとし、該テレビ会議ソフトウェアプログラムを使用して、現在、画像表示装置が表示している画像データをほぼリアルタイムで第三者に配信しながらテレビ会議を行うことができる。
【００３０】
上記目的を達成するために、本発明の画像表示装置は、第１データ受信部、表示部、画像データキャプチャ部および第２データ送信部とを備えたことを要旨とする。
【００３１】
このような画像表示装置によれば、画像表示装置内の第１データ受信部は画像供給装置から接続手段を介して第１の画像データを受信し、表示部は第１の画像データを表示する。画像データキャプチャ部は第１の画像データをキャプチャし、第２の画像データとする。第２データ送信部は第２の画像データを接続手段を介して画像供給装置へ送信する。よって、画像表示装置は、画像供給装置から受信した第１の画像データを表示するとともに、表示したものと同様の第１の画像データを第２の画像データという形で画像供給装置に送信することができる。
【００３２】
また、上記画像表示装置において、外部入力部と、画像データ入力切替部とを備え、表示部は、画像データ入力切替部によって選択された画像データを表示することが好ましい。
【００３３】
このような画像表示装置によれば、画像表示装置内の外部入力部は外部入力の画像データを受信し、画像データ入力切替部は第１の画像データおよび外部入力の画像データのうちから画像データを選択し、切り替えを行う。表示部は選択された画像データを表示する。よって、画像表示装置は、画像供給装置から送信された第１の画像データのみならず、外部入力の画像データのうちからも画像データを選択して表示することができる。
【００３４】
また、上記画像表示装置において、画像データキャプチャ部は、画像データ入力切替部によって選択された画像データをキャプチャし、第２の画像データとすることが好ましい。
【００３５】
このような画像表示装置によれば、画像表示装置内の画像データキャプチャ部は画像データ入力切替部によって選択された画像データをキャプチャして第２の画像データとし、第２データ送信部は接続手段を介して画像供給装置に第２の画像データを送信する。よって、画像表示装置は、第１の画像データのみならず、外部入力の画像データをも第２の画像データとして画像供給装置に送信することができる。このとき、第２の画像データは、画像表示装置が表示している画像をキャプチャしたものであるため、画像表示装置が表示する画像データと画像供給装置へ送信する画像データは同様となる。
【００３６】
また、上記画像表示装置において、画像表示装置は、画像供給装置とＵＳＢ規格に準拠した通信を用いた接続手段で接続されることが好ましい。
【００３７】
このような画像表示装置によれば、画像表示装置は、画像供給装置とＵＳＢ規格に準拠した通信によって接続する。例えば、ＵＳＢケーブルを用いて画像供給装置と接続した場合、１本のケーブルで送信および受信を同時に行うことが可能となり、複数の配線が不要となる。よって、画像供給装置との接続を簡易な構成とすることができる。
【００３８】
また、上記画像表示装置において、画像表示装置は、画像供給装置とＩＰネットワーク通信を用いた接続手段で接続されることが好ましい。
【００３９】
このような画像表示装置によれば、画像表示装置は、画像供給装置とＩＰネットワーク通信を用いた通信によって接続する。例えば、ネットワークケーブルを用いたＩＰネットワーク通信によって画像供給装置と接続した場合、該ネットワークケーブルの接続のみで、送信および受信を同時に行うことが可能となり、複数の配線が不要となる。よって、画像供給装置との接続を簡易な構成とすることができる。
【発明を実施するための最良の形態】
【００４０】
（第１の実施形態）
以下、図１、図２を用いて本発明の第１の実施形態について説明する。
【００４１】
図１は、本発明の第１の実施形態に係る画像表示システムの構成図である。図１を参照して、画像表示システム１の構成を説明する。
画像表示システム１は、画像供給装置１００と、画像表示装置２００とで構成されている。そして、画像供給装置１００と画像表示装置２００とは、接続手段としてＵＳＢ規格に準拠した通信路を介して接続されている。本実施形態では、図示するように、画像供給装置１００は、パーソナルコンピュータを用い、画像表示装置２００は、プロジェクタを用いている。また、接続手段は、ＵＳＢケーブル１１０を用いている。さらに、画像表示装置２００は、画像供給装置１００から送信された画像データを画像としてスクリーン５００に投写している。
【００４２】
図２は、本発明の第１の実施形態に係る画像表示システムの機能構成を示す機能ブロック図である。図示するように、画像表示システム１では、画像供給装置１００をＵＳＢ通信におけるホスト側とし、画像表示装置２００をＵＳＢ通信におけるデバイス側として構成されて機能している。本実施形態では、ＵＳＢディスプレイとＵＳＢカメラという２つのＵＳＢファンクションを実装するものとし、マルチファンクションとして機能させる。ここで、ＵＳＢディスプレイとは、ＵＳＢによって画面表示を行うディスプレイを仮想的に実現するものとしている。よって、ＵＳＢのホスト側からデバイス側を見た場合、ディスプレイが接続されているものとして画面表示のデータ通信を行うことができる。また、ＵＳＢカメラとは、ＵＳＢによってカメラを仮想的に実現するものとしている。よって、ＵＳＢのホスト側からデバイス側を見た場合、カメラが接続されているものとしてデータ通信を行うことができる。
【００４３】
画像表示システム１における画像供給装置１００の機能構成について説明する。
画像供給装置１００は、プレゼンテーションソフトウェアプログラム部１０と、画面転送ドライバ１１と、ＵＳＢホスト（通信部）の第１データ送信部としてのＵＳＢディスプレイホスト１２と、ＵＳＢホスト（通信部）の第２データ受信部としてのＵＳＢカメラホスト１３と、ＵＳＢカメラドライバ１４とを備えている。
【００４４】
画像表示システム１における画像表示装置２００の機能構成について説明する。
画像表示装置２００は、ＵＳＢデバイス（通信部）の第１データ受信部としてのＵＳＢディスプレイデバイス２０と、画面構成部２１と、ＤＡＣ（Ｄ／Ａコンバータ）部２２と、表示部２３と、画像データキャプチャ部２４と、ＵＳＢデバイス（通信部）の第２データ送信部としてのＵＳＢカメラデバイス２５とを備えている。
【００４５】
以降に、画像表示システム１の動作を説明する。なお、以降の説明において、第１の画像データとは、画像供給装置１００内のプレゼンテーションソフトウェアプログラム部１０から、画面転送ドライバ１１、ＵＳＢディスプレイホスト１２、ＵＳＢディスプレイデバイス２０、画面構成部２１、ＤＡＣ部２２、表示部２３および画像データキャプチャ部２４までのデータ伝送路上の画像データを総称するものとし、そのデータ形式は問わないものとする。また、第２の画像データとは、画像データキャプチャ部２４から、ＵＳＢカメラデバイス２５、ＵＳＢカメラホスト１３、ＵＳＢカメラドライバ１４までのデータ伝送路上の画像データを総称するものとし、そのデータ形式は問わないものとする。
【００４６】
画像供給装置１００内のプレゼンテーションソフトウェアプログラム部１０は、プレゼンテーション等の画面表示を行うアプリケーションソフトウェアとして機能する。例えば、ＰＯＷＥＲＰＯＩＮＴ（登録商標）といったプレゼンテーション専用のソフトウェアでもよいし、ユーザが画面表示を行いたいと所望するアプリケーションソフトウェアであれば、限定をするものではない。画面転送ドライバ１１は、プレゼンテーションソフトウェアプログラム部１０が表示している画面の画像データをＵＳＢディスプレイホスト１２に第１の画像データとして転送する。ＵＳＢディスプレイホスト１２は、転送された第１の画像データをＵＳＢケーブル１１０を介して画像表示装置２００内のＵＳＢディスプレイデバイス２０に送信する。このとき、本実施形態のＵＳＢ通信では、プレゼンテーションソフトウェアプログラム部１０が表示している画面が更新されて差分が発生した場合に、更新差分を表すデジタルデータ形式として第１の画像データを送信するものとする。
【００４７】
画像表示装置２００内のＵＳＢディスプレイデバイス２０は、受信した第１の画像データを画面構成部２１へ出力する。画面構成部２１は、画面の更新差分として入力された第１の画像データを順次展開し、画面イメージの形に構成する。構成された画面イメージの第１の画像データをＤ／ＡコンバータであるＤＡＣ部２２によって、デジタルデータ形式からアナログデータ形式の第１の画像データに変換する。アナログデータ形式に変換された画面イメージの第１の画像データは表示部２３に入力され、表示される。ここで、本実施形態では、画像表示装置２００はプロジェクタを用いているため、表示部２３は、プロジェクタの画像を投写する投写部に該当する。投写部から投写された画像は、スクリーン５００等に映されることで視認することができる。
【００４８】
一方、アナログデータ形式に変換された画面イメージの第１の画像データは、画像データキャプチャ部２４により、随時キャプチャされ、デジタルデータ形式の画像データに変換される。画像データキャプチャ部２４は、キャプチャした画像データをＵＳＢカメラデバイス２５に第２の画像データとして転送する。ＵＳＢカメラデバイス２５は、第２の画像データを仮想的にカメラで撮像したデータとして、ＵＳＢケーブル１１０を介して画像供給装置１００内のＵＳＢカメラホスト１３に送信する。ＵＳＢカメラホスト１３が受信した第２の画像データを、ＵＳＢカメラドライバ１４は取得する。
【００４９】
上述した第１の実施形態によれば、以下の効果が得られる。
（１）本実施形態の画像表示システム１によれば、画像供給装置１００から画像表示装置２００に送信された第１の画像データは、画像表示装置２００により表示され、画像表示装置２００により表示されていると同様の画像データはキャプチャされて画像供給装置１００に第２の画像データとして送信され、画像供給装置１００は、受信した第２の画像データを取得できる。よって、簡易な装置構成で、画像データの供給と、表示と、表示している画像データの取得とを実現することができる。取得した画像データは、例えば、記録媒体（図示せず）に記録することで、プレゼンテーションの記録コンテンツとすることができる。
【００５０】
（２）本実施形態の画像表示システム１によれば、画像表示装置２００において、画像供給装置１００から受信した第１の画像データに対して、例えば、拡大や縮小といった画像処理や、色補正処理といった加工を行って表示をしている場合に、画像供給装置１００は、該加工を行った画像データと同様の画像データを第２の画像データとして取得することができる。取得した画像データを記録コンテンツとする場合にも、画像表示装置２００にて表示したものと同様の画像データを記録することになるため、プレゼンテーション内容に忠実な記録コンテンツとすることが可能である。
【００５１】
（３）本実施形態の画像表示システム１によれば、ＵＳＢディスプレイとＵＳＢカメラという２つのＵＳＢファンクションを実装し、マルチファンクションとして機能させているため、接続手段としてのＵＳＢケーブル１１０は、送受信を１本のケーブルで同時に実現することができる。よって、画像供給装置１００と画像表示装置２００との装置間の配線が簡易になり、ユーザは、容易に画像表示システムを実現することができる。
【００５２】
（第２の実施形態）
次に、図３、図４を用いて第２の実施形態の説明を行う。なお、本実施形態の説明では、主に第１の実施形態との違いを記載する。
【００５３】
図３は、本発明の第２の実施形態に係る画像表示システムの構成図である。なお、図３は、第１の実施形態を示す図１に対して、外部画像出力装置３００が追加されており、その他の構成部は図１と同様であり、同様の構成部には同様の符号を付記している。
ここで、外部画像出力装置３００とは、例えば、ＤＶＤプレーヤや、ビデオプレーヤ等の画像出力装置を示している。本実施形態では、外部画像出力装置３００として図３に示すように、ＤＶＤプレーヤを用いている。外部画像出力装置３００は、画像表示装置２００に接続ケーブル１２０を介して接続され、画像データを出力する。外部画像出力装置３００は、１台とは限らず、複数の場合もある。また、接続ケーブル１２０は、接続する外部画像出力装置３００の映像出力規格に合わせて、例えば、ビデオケーブルやＳビデオケーブル、コンポーネントケーブル等の映像ケーブルを適宜使用する。
【００５４】
図４は、本発明の第２の実施形態に係る画像表示システムの機能構成を示す機能ブロック図である。なお、図４は、第１の実施形態を示す図２に対して、外部画像出力装置３００が追加されている。そして、外部画像出力装置３００は、接続ケーブル１２０を介して画像表示装置２００と接続されている。また、画像表示装置２００内には、外部入力部２６と、画像データ入力切替部２７とが追加されている。その他の機能構成部は図２と同様であり、同様の機能構成部には同様の符号を付記している。
【００５５】
以降、画像表示システム２の動作を説明する。
外部画像出力装置３００から出力された画像データは、接続ケーブル１２０を介して画像表示装置２００内の外部入力部２６に入力される。外部入力部２６は、画像データ入力切替部２７に外部入力の画像データを送る。画像データ入力切替部２７は、外部入力部２６から入力した外部入力の画像データと、画像供給装置１００から送信され、ＤＡＣ部２２を通って入力した第１の画像データとの中から、表示する画像データを選択する。選択された画像データは、表示部２３に入力され、表示が行われる。画像データ入力切替部２７に対して選択する画像データを指示する手段としては、例えば、画像表示装置２００の本体上に設けられた操作ボタン（図示せず）や、画像表示装置２００の動作機能を操作するリモートコントローラ（図示せず）を使用することができる。ここで、選択する画像データは１つとは限らず、複数とすることも可能である。例えば、画像データ入力切替部２７は、画像データを複数選択し、選択した画像データを１つの画面データサイズの中に領域を分けて配置して合成する画像合成部（図示せず）を設けることで、合成画像データを生成する。そして、合成画像データを表示部２３に入力することで、表示を行うことができる。
【００５６】
画像データキャプチャ部２４は、画像データ入力切替部２７により選択された画像データを随時キャプチャして、デジタルデータ形式の第２の画像データとする。画像データキャプチャ部２４は、キャプチャした第２の画像データをＵＳＢカメラデバイス２５に転送する。ＵＳＢカメラデバイス２５は、第２の画像データを仮想的にカメラで撮像したデータとして、画像供給装置１００内のＵＳＢカメラホスト１３に送信する。ＵＳＢカメラホスト１３が受信した第２の画像データを、ＵＳＢカメラドライバ１４は取得する。
【００５７】
上述した第２の実施形態によれば、第１の実施形態での効果（１）〜（３）と同様の効果を奏することができる。他に、以下の効果が得られる。
本実施形態の画像表示システム２によれば、画像表示装置２００は、画像供給装置１００から送信された第１の画像データのみならず、外部画像出力装置３００からの外部入力の画像データについても表示することができる。よって、ユーザは、所望の画像データを選択し表示させることができる。また、画像供給装置１００は、画像表示装置２００にて表示している画像データを取得することが可能となる。よって、例えば、画像供給装置１００から送信した第１の画像データを表示している途中で、ユーザの意図により、外部入力の画像データに表示を切り替えた場合においても、画像供給装置１００が取得する第２の画像データは、画像供給装置１００から送信した第１の画像データから、外部入力の画像データに切り替わることとなる。よって、ユーザの意図を反映した画像データを取得することが可能となる。このように取得した画像データは、画像供給装置１００からの映像と、外部画像出力装置３００からの映像が滑らかに切り替わるため、記録コンテンツとして保存する場合にも好適である。
【００５８】
（第３の実施形態）
次に、図５、図６を用いて第３の実施形態の説明を行う。なお、本実施形態の説明では、主に第２の実施形態との違いを記載する。
【００５９】
図５は、本発明の第３の実施形態に係る画像表示システムの構成図である。なお、図５は、第２の実施形態を示す図３に対して、ネットワーク６００と、該ネットワークに接続された第三者の情報処理装置４００とが追加されている。その他の構成部は図３と同様であり、同様の構成部には同様の符号を付記している。
ここで、ネットワーク６００とは、例えば、ＩＰネットワーク通信路を示す。また、第三者の情報処理装置４００とは、例えばパーソナルコンピュータを用いている。第三者の情報処理装置４００は、１台とは限らず、複数の場合もある。
【００６０】
図６は、本発明の第３の実施形態に係る画像表示システムの機能構成を示す機能ブロック図である。なお、図６は、第２の実施形態を示す図４に対して、ネットワーク６００と、該ネットワークに接続された第三者の情報処理装置４００とが追加されている。そして、ネットワーク６００は、画像供給装置１００と接続されている。また、マイク３０と、スピーカ３１とが画像供給装置１００に接続された形で追加されている。さらに、画像供給装置１００内には、テレビ会議ソフトウェアプログラム部１５と、ネットワーク接続手段１６と、音声入力部１７と、音声出力部１８とが追加されている。その他の機能構成部は図４と同様であり、同様の機能構成部には同様の符号を付記している。
【００６１】
以降、画像表示システム３の動作を説明する。
画像供給装置１００内のＵＳＢカメラドライバ１４にて取得した第２の画像データは、テレビ会議ソフトウェアプログラム部１５に送られる。テレビ会議ソフトウェアプログラム部１５は、ネットワーク接続手段１６を用いて、ネットワーク６００に接続された第三者の情報処理装置４００とテレビ会議を実現する機能を持つ。テレビ会議では、音声と映像の双方向同時通信を行う。テレビ会議の映像の送信は、ＵＳＢカメラドライバ１４にて取得した第２の画像データを送信する。テレビ会議の映像の受信は、第三者の情報処理装置４００から受信する。また、テレビ会議の音声送信については、マイク３０から音声入力部１７が音声を入力し、テレビ会議ソフトウェアプログラム部１５へ音声データを送る。テレビ会議ソフトウェアプログラム部１５は、音声データを第三者の情報処理装置４００へ送信する。テレビ会議の音声受信については、第三者の情報処理装置４００から受信した音声データを、テレビ会議ソフトウェアプログラム部１５が音声出力部１８へ送り、スピーカ３１によって出力する。ここで、ネットワーク接続手段１６は、例えば、ＴＣＰ／ＩＰといったプロトコルを用いてネットワーク６００と接続し、通信を行うものとする。
【００６２】
上述した第３の実施形態によれば、第１の実施形態での効果（１）〜（３）および第２の実施形態での効果と同様の効果を奏することができる。他に、以下の効果が得られる。
（１）本実施形態の画像表示システム３によれば、画像表示装置２００で表示している画像を、ネットワーク６００に接続された第三者の情報処理装置４００にほぼリアルタイムで配信することができる。よって、例えば、プレゼンテーションを行っている会場にて、画像供給装置１００でプレゼンテーションソフトウェアを実行し、画像表示装置２００にてプレゼンテーション内容を表示させていた場合に、第三者は遠隔地に居たとしても、ネットワーク６００を介した情報処理装置４００によって、プレゼンテーション内容を視聴することができる。また、プレゼンテーション中に、表示する画像データをＤＶＤプレーヤ等の外部画像出力装置３００の外部入力の画像データに切り替えたとしても、該外部入力の画像データの映像が第三者の情報処理装置４００に配信されるので、第三者は該外部入力の画像データを視聴することができる。つまり、第三者は、プレゼンテーション実施会場の出席者が視聴する映像と同様の映像をほぼリアルタイムで視聴することが可能となる。
【００６３】
（２）本実施形態の画像表示システム３によれば、ＵＳＢファンクションとしてＵＳＢカメラを使用しているので、テレビ会議ソフトウェアプログラム部１５は、ＵＳＢカメラに対応しているテレビ会議ソフトウェアを用いることができる。よって、市販されている汎用的なテレビ会議ソフトウェアを使用することが可能となる。また、ＵＳＢカメラに対応していれば、ネットワークを用いたテレビ電話ソフトウェアも使用することができる。
【００６４】
（第４の実施形態）
次に、図７を用いて第４の実施形態の説明を行う。なお、本実施形態の説明では、主に第３の実施形態との違いを記載する。
【００６５】
図７は、本発明の第４の実施形態に係る画像表示システムの機能構成を示す機能ブロック図である。第４の実施形態は、第３の実施形態において、画像供給装置１００と画像表示装置２００とを接続する接続手段をＵＳＢとしていたものを、ＩＰネットワーク通信に変更したものである。図７は、第３の実施形態を示す図６に対して、接続手段をＵＳＢケーブル１１０からＩＰネットワーク通信路１１０ａに変更している。なお、ここで用いるＩＰネットワーク通信は、画像供給装置１００ａ内のネットワーク接続手段１６を用いたネットワーク通信とは別の通信路を示している。
【００６６】
画像表示システム３の画像供給装置１００と、画像表示システム４の画像供給装置１００ａの機能構成の違いについて説明する。
画像供給装置１００において、ＵＳＢホスト（通信部）の第１データ送信部としてのＵＳＢディスプレイホスト１２としていた機能構成部を、画像供給装置１００ａでは、ＴＣＰ／ＩＰスタック（通信部）の第１データ送信部としてのネットワークディスプレイホスト１２ａに変更している。また、画像供給装置１００において、ＵＳＢホスト（通信部）の第２データ受信部としてのＵＳＢカメラホスト１３としていた機能構成部を、画像供給装置１００ａでは、ＴＣＰ／ＩＰスタック（通信部）の第２データ受信部としてのネットワークカメラクライアント１３ａに変更している。また、画像供給装置１００において、ＵＳＢカメラドライバ１４としていた機能構成部を、画像供給装置１００ａでは、ネットワークカメラドライバ１４ａに変更している。画像供給装置１００ａのその他の機能構成部は画像供給装置１００と同様であり、同様の機能構成部には同様の符号を付記している。
【００６７】
画像表示システム３の画像表示装置２００と、画像表示システム４の画像表示装置２００ａの機能構成の違いについて説明する。
画像表示装置２００において、ＵＳＢデバイス（通信部）の第１データ受信部としてのＵＳＢディスプレイデバイス２０としていた機能構成部を、画像表示装置２００ａでは、ＴＣＰ／ＩＰスタック（通信部）の第１データ受信部としてのネットワークディスプレイクライアント２０ａに変更している。画像表示装置２００において、ＵＳＢデバイス（通信部）の第２データ送信部としてのＵＳＢカメラデバイス２５としていた機能構成部を、画像表示装置２００ａでは、ＴＣＰ／ＩＰスタック（通信部）の第２データ送信部としてのネットワークカメラホスト２５ａに変更している。画像表示装置２００ａのその他の機能構成部は画像表示装置２００と同様であり、同様の機能構成部には同様の符号を付記している。
【００６８】
画像供給装置１００ａと画像表示装置２００ａとのＩＰネットワーク通信は、例えば、ＴＣＰ／ＩＰといったＩＰネットワーク通信プロトコルを用いる。また、本実施形態の画像表示システム４では、ネットワークディスプレイプロトコルとネットワークカメラプロトコルとを合わせてサポートする。ネットワークディスプレイプロトコルとしては、例えば、ＲＤＰ（Ｒｅｍｏｔｅ  Ｄｅｓｋｔｏｐ  Ｐｒｏｔｏｃｏｌ）プロトコル等を用いることができる。これにより、画像供給装置１００ａから画像表示装置２００ａに対して第１の画像データを送信することができる。また、ネットワークカメラプロトコルとしては、例えば、ＲＴＰ（Ｒｅａｌ−ｔｉｍｅ  Ｔｒａｎｓｐｏｒｔ  Ｐｒｏｔｏｃｏｌ）プロトコル等を用いることができる。これにより、ネットワークカメラが実装されているものとすることができ、画像供給装置１００ａは、画像表示装置２００ａから第２の画像データをカメラで撮像したデータとして受信することができる。
【００６９】
以降、画像表示システム４の動作を説明する。
本実施形態では、画像供給装置１００ａ内の画面転送ドライバ１１は、プレゼンテーションソフトウェアプログラム部１０が表示している画面の画像データをネットワークディスプレイホスト１２ａに第１の画像データとして転送する。ネットワークディスプレイホスト１２ａは、転送された第１の画像データをＩＰネットワーク通信路１１０ａを介して画像表示装置２００ａ内のネットワークディスプレイクライアント２０ａに送信する。このとき、本実施形態のＩＰネットワーク通信では、プレゼンテーションソフトウェアプログラム部１０が表示している画面が更新されて差分が発生した場合に、更新差分を表すデジタルデータ形式として第１の画像データを送信するものとする。
【００７０】
画像表示装置２００ａ内のネットワークディスプレイクライアント２０ａは、受信した第１の画像データを画面構成部２１へ出力する。画面構成部２１、ＤＡＣ部２２、外部入力部２６、画像データ入力切替部２７、表示部２３および画像データキャプチャ部２４の動作は、第１の実施形態乃至第３の実施形態と同様である。画像データキャプチャ部２４は、キャプチャした画像データをネットワークカメラホスト２５ａに第２の画像データとして転送する。ネットワークカメラホスト２５ａは、第２の画像データを仮想的にカメラで撮像したデータとして、ＩＰネットワーク通信路１１０ａを介して画像供給装置１００ａ内のネットワークカメラクライアント１３ａに送信する。ネットワークカメラクライアント１３ａが受信した第２の画像データを、ネットワークカメラドライバ１４ａは取得する。テレビ会議ソフトウェアプログラム部１５、ネットワーク接続手段１６、マイク３０、音声入力部１７、音声出力部１８およびスピーカ３１の動作は、第３の実施形態と同様である。
【００７１】
上述した第４の実施形態によれば、第１の実施形態での効果（１）〜（２）、第２の実施形態での効果および第３の実施形態での効果（１）と同様の効果を奏することができる。他に、以下の効果が得られる。
（１）本実施形態の画像表示システム４によれば、ネットワークディスプレイプロトコルとネットワークカメラプロトコルとを合わせてサポートしているため、接続手段としてのＩＰネットワーク通信路１１０ａは、送受信を同時に実現することができる。よって、画像供給装置１００ａおよび画像表示装置２００ａの配線は、それぞれ１本のネットワークケーブルを接続するのみになるため、簡易にすることができる。つまり、ユーザは、容易に画像表示システムを実現することができる。
【００７２】
（２）本実施形態の画像表示システム４によれば、ネットワークカメラプロトコルを使用しているので、テレビ会議ソフトウェアプログラム部１５は、ネットワークカメラに対応しているテレビ会議ソフトウェアを用いることができる。よって、市販されている汎用的なテレビ会議ソフトウェアを使用することが可能となる。また、ネットワークカメラに対応していれば、ネットワークを用いたテレビ電話ソフトウェアも使用することができる。
【００７３】
以上、本発明の第１の実施形態乃至第４の実施形態について説明したが、本発明はこうした実施形態に何ら限定されるものではなく、本発明の要旨を逸脱しない範囲において様々な形態で実施し得ることは勿論である。以下に変形例を述べる。
【００７４】
（変形例１）上記実施形態では、画像表示装置２００および画像表示装置２００ａはプロジェクタとしているが、リアプロジェクションテレビとしてもよいし、液晶ディスプレイ、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＯＬＥＤ（Ｏｒｇａｎｉｃ・Ｌｉｇｈｔ−Ｅｍｉｔｔｉｎｇ・Ｄｉｏｄｅ）、ＦＥＤ（Ｆｉｅｌｄ  Ｅｍｉｓｓｉｏｎ  Ｄｉｓｐｌａｙ）等の表示部を有する画像表示装置としてもよい。
【００７５】
（変形例２）第１の実施形態乃至第３の実施形態では、画像供給装置１００と画像表示装置２００との接続手段はＵＳＢケーブル１１０としたが、無線であるＷＩＲＥＬＥＳＳＵＳＢ（登録商標）としてもよい。また、第４の実施形態では、画像供給装置１００ａと画像表示装置２００ａとの接続手段はＩＰネットワーク通信路１１０ａとしたが、無線ＬＡＮを使用するものとしてもよい。こうすれば、ケーブルを使用しないので装置間の配線が必要なく、また、装置の設置場所も限定されることのない、簡易かつ煩雑さのない画像表示システムを構成できる。
【００７６】
（変形例３）第１の実施形態乃至第４の実施形態では、ＵＳＢディスプレイまたはネットワークディスプレイを用いて、画像供給装置１００または画像供給装置１００ａから、画像表示装置２００または画像表示装置２００ａにデジタルデータ形式で第１の画像データを送信するものとしたが、画像供給装置１００または画像供給装置１００ａから、アナログデータ形式で第１の画像データを出力し、アナログ映像ケーブルを介して画像表示装置２００または画像表示装置２００ａへ入力するものとしてもよい。例えば、アナログＲＧＢ形式としてもよい。この場合の変更点を、図２を用いて説明すると、画像供給装置１００から画像表示装置２００への第１の画像データの通信路および通信部はＵＳＢからアナログＲＧＢに変更となる。第１データ送信部はアナログＲＧＢ出力部となり、第１データ受信部はアナログＲＧＢ入力部となる。また、画面構成部２１およびＤＡＣ部２２は必要なく、画像データキャプチャ部２４は、入力されたアナログの第１の画像データをキャプチャすればよい。このように、アナログデータ形式で第１の画像データの送信を行うことで、画像供給装置１００または画像供給装置１００ａのＣＰＵの処理負荷を低減させることができる。よって、例えば、ＣＰＵの処理能力の低いパーソナルコンピュータを画像供給装置１００または画像供給装置１００ａとして使用する場合に適している。
【００７７】
（変形例４）第３の実施形態では、画像供給装置１００にマイク３０を接続するものとしたが、画像表示装置２００にマイクを接続または内蔵するものとしてもよい。この場合、マイクはＵＳＢマイクとし、ＵＳＢオーディオデバイスとして実装する。つまり、ＵＳＢディスプレイ、ＵＳＢカメラおよびＵＳＢオーディオという３つのファンクションを同時に実装するものとする。これにより、１本のＵＳＢケーブル１１０によって、ＵＳＢディスプレイおよびＵＳＢカメラの映像と、ＵＳＢオーディオの音声の通信が可能となる。よって、装置間の配線を追加することなく、画像表示装置２００による音声入力が可能な画像表示システムを実現することができる。こうすれば、プレゼンテーション実施会場から離れた場所に画像供給装置１００を設置した場合でも、プレゼンテーション実施会場に設置された画像表示装置２００のマイク３０によってプレゼンテーション実施会場の音声を入力し、テレビ会議を用いて第三者に配信することが可能となる。
【００７８】
（変形例５）第１の実施形態乃至第４の実施形態において、画像表示装置２００または画像表示装置２００ａであるプロジェクタは、例えばＣＣＤカメラのようなカメラ機構を搭載するものとしてもよい。このとき、プロジェクタに搭載されたＣＣＤカメラは、プロジェクタが投写している画面およびその周辺を撮像するものとする。そして、撮像した画像データは、画像データキャプチャ部２４によるキャプチャを可能とすることで、第２データ送信部としてのＵＳＢカメラデバイス２５またはネットワークカメラホスト２５ａに第２の画像データとして転送する。ＵＳＢカメラデバイス２５またはネットワークカメラホスト２５ａは第２の画像データを画像供給装置１００または画像供給装置１００ａに送信する。こうすれば、プロジェクタに搭載されているＣＣＤカメラは、例えば、プレゼンテーション画面を表示しているスクリーンと、その内容を説明しているプレゼンターを同時に撮像し、画像供給装置１００または画像供給装置１００ａは、撮像された画像データを取得することができる。よって、ユーザは、プレゼンテーション画面のみならず、プレゼンターを含めたプレゼンテーション状況をも取得し、コンテンツとして記録したり、テレビ会議を用いて第三者に配信することが可能となる。
【図面の簡単な説明】
【００７９】
【図１】第１の実施形態に係る画像表示システムの構成図。
【図２】画像表示システムの機能構成を示す機能ブロック図。
【図３】第２の実施形態に係る画像表示システムの構成図。
【図４】画像表示システムの機能構成を示す機能ブロック図。
【図５】第３の実施形態に係る画像表示システムの構成図。
【図６】画像表示システムの機能構成を示す機能ブロック図。
【図７】第４の実施形態に係る画像表示システムの機能構成を示す機能ブロック図。
【符号の説明】
【００８０】
１〜４…画像表示システム、１００…画像供給装置、１１０…ＵＳＢケーブル、１２０…接続ケーブル、２００…画像表示装置、３００…外部画像出力装置、４００…情報処理装置、５００…スクリーン、６００…ネットワーク、１００ａ…画像供給装置、１１０ａ…ＩＰネットワーク通信路、２００ａ…画像表示装置、１０…プレゼンテーションソフトウェアプログラム部、１１…画面転送ドライバ、１２…ＵＳＢディスプレイホスト、１３…ＵＳＢカメラホスト、１４…ＵＳＢカメラドライバ、１５…テレビ会議ソフトウェアプログラム部、１６…ネットワーク接続手段、１７…音声入力部、１８…音声出力部、２０…ＵＳＢディスプレイデバイス、２１…画面構成部、２２…ＤＡＣ部、２３…表示部、２４…画像データキャプチャ部、２５…ＵＳＢカメラデバイス、２６…外部入力部、２７…画像データ入力切替部、３０…マイク、３１…スピーカ、１２ａ…ネットワークディスプレイホスト、１３ａ…ネットワークカメラクライアント、１４ａ…ネットワークカメラドライバ、２０ａ…ネットワークディスプレイクライアント、２５ａ…ネットワークカメラホスト。
【図１】
2008009253.tif 000003
【図２】
2008009253.tif 000004
【図３】
2008009253.tif 000005
【図４】
2008009253.tif 000006
【図５】
2008009253.tif 000007
【図６】
2008009253.tif 000008
【図７】
2008009253.tif 000009